(57)【要約】【課題】薬剤の混合忘れを防止する医療用容器を提供する。【解決手段】医療用容器１は、仕切部９で区分された第１の薬剤室５に充填された第１の薬剤７と、第２の薬剤室６に収納された第２の薬剤８と、薬剤室と連通した排出口３５を有する排出ポート３を有する医療用容器本体２と、医療用容器本体２に着脱可能な排出ポート被包部材４を備える。排出ポート３は、第３の薬剤３３が収納された筒状部３１と、筒状部３１に設けられた破断可能部３４と、筒状部３１の他端側を閉塞した封止部３６を有する排出口３５と、破断可能部３４の未破断時の排出ポート３への薬剤排出用部材の薬剤流出可能な接続を阻害する薬剤排出用部材接続阻害部３７を備え、排出ポート被包部材４は、破断可能部３４の破断を規制し、医療用容器本体２を押圧することにより破断可能部３４の破断の規制が解除される。【選択図】図２
2008173316.tif 000002
【特許請求の範囲】
【請求項１】
剥離可能なシール部により形成された仕切部により第１の薬剤室と第２の薬剤室に区分され、かつ、前記第１の薬剤室に充填された第１の薬剤と、前記第２の薬剤室に収納された第２の薬剤と、いずれかの前記薬剤室と連通し、薬剤排出用部材の接続が可能な排出口を有する排出ポートとを備える軟質医療用容器本体と、前記医療用容器本体に着脱可能に取り付けられた排出ポート被包部材とからなる医療用容器であって、
前記排出ポートは、一端側が閉塞し他端側が開口するとともに内部に薬剤収納部を有する筒状部と、該筒状部に設けられ、破断により前記薬剤収納部の前記薬剤室との連通を可能とする破断可能部と、前記筒状部の他端側を閉塞し、かつ、前記薬剤排出用部材の接続が可能な封止部を有する前記排出口と、前記筒状部内に設けられ前記破断可能部の未破断時における前記排出ポートへの前記薬剤排出用部材の薬剤流出可能状態となる接続を阻害する薬剤排出用部材接続阻害部と前記薬剤収納部内に収納された第３の薬剤とを備えるものであり、
前記排出ポート被包部材は、前記排出ポートの前記破断可能部の破断を規制するとともに、前記医療用容器本体の前記仕切部を解除するために前記医療用容器本体を押圧することにより前記破断可能部の破断の規制が解除されるものであることを特徴とする医療用容器。
【請求項２】
前記排出ポートは、前記破断可能部の破断操作を行うための操作部を備え、前記排出ポート被包部材は、前記操作部の破断操作を規制するものである請求項１に記載の医療用容器。
【請求項３】
前記排出ポート被包部材は、前記医療用容器本体への装着部を備えている請求項１または２に記載の医療用容器。
【請求項４】
前記排出ポート被包部材は、前記医療用容器が押圧された際の医療用容器本体の拡張力を受けるための向かい合う拡張力受部を備えている請求項１ないし３のいずれかに記載の医療用容器。
【請求項５】
前記排出ポート被包部材は、前記医療用容器本体への装着時において、前記排出ポートの前記封止部を露出させるものである請求項１ないし４のいずれかに記載の医療用容器。
【請求項６】
前記医療用容器本体は、前記薬剤室と前記排出ポートとの連通を阻害する剥離可能な連通阻害用弱シール部を備えている請求項１ないし５のいずれかに記載の医療用容器。
【発明の詳細な説明】
【技術分野】
【０００１】
本発明は、内部において、輸液などの薬液に薬剤の調製や配合を行うことができる医療用容器に関するものである。
【背景技術】
【０００２】
輸液に際し、２種以上の液体（薬液）を混合して使用する場合がある。この場合、従来では、別途準備した２つの薬液を使用時に混合することにより準備していた。最近では、薬液の投与を速やかなものとすること、ならびに混合忘れなどを防止することより、１つの医療用容器の薬剤室を剥離可能な仕切部により２つの薬剤室に区分することにより複室としたもの、また、破断可能部にて破断することにより容器本体内と連通可能な薬剤容器を取り付けることにより複室としたものがある。そして、このような複室容器では、それぞれに、あらかじめ混合すると、経時的に変質、劣化する薬剤を分離して収納される。しかし、このような複室の医療用容器の場合、仕切部の開通もしくは破断可能部の破断を行うことなく、医療用容器に、輸液セットの薬剤排出用針管を穿刺すると薬剤が流出してしまう。
【０００３】
特許文献１（特開２００５−３０５１３６号公報）に示されるものが開示されている。この医療用複室容器では、薬剤を収納する複室の収納室及び前記各収納室間を仕切る仕切り用封止部を備えた容器本体と、当該容器本体に取り付けられ前記収納室から薬剤を排出する開口を有する薬剤排出部とを備え、前記仕切り用封止部が、使用に際して前記各収納室を連通させるように開封可能に構成されており、前記薬剤排出部に取り付けられて前記開口を塞ぐ開封防止部材を備えており、当該開封防止部材は、前記開口を塞ぐ本体部と、当該本体部に連結され前記収納室を挟持する一対の挟持部と、当該一対の挟持部の挟持状態を保持する保持手段とを備え、前記収納室内の圧力が高まると前記保持手段による挟持状態が解除され、前記開封防止部材が前記薬剤排出部から離脱可能となっている。
【０００４】
【特許文献１】特開２００５−３０５１３６号公報
【発明の開示】
【発明が解決しようとする課題】
【０００５】
上記特許文献１のものでは、あらかじめ混合できない２種類の薬剤は、仕切り用封止部によって異なる収納室に収納されている。しかし、さらに、別の少量の薬剤の混合投与が必要となる場合があり、この場合、混注ポートを用いてバイアル瓶等の別の容器に収納された少量の薬剤を注射器を用いて混注する必要がある。そして、医療用容器としては、上記のような混注作業を軽減するために、少量の薬剤を収納した薬剤容器を備えたものもある。このタイプの医療用容器は、３種類の薬剤が個別に収納された状態となっており、それぞれの薬剤の単独投与および未混合状態での投与を防止することが必要となるが、有効な手段がないのが現状であった。
そこで、本発明の目的は、上記問題点を解決するものであり、剥離可能な仕切部により区分された２つの薬剤室に収納されている２種類の薬剤の投与前の混合忘れを防止し、かつ、排出ポート内に少量の薬剤を封入するとともに、この排出ポート内に収納された少量の薬剤の単独投与および未混合投与を防止することができ、さらに、運搬時等の非投与作業時における排出ポート内と薬剤室の連通（排出ポート内の薬剤の薬剤室への流出）を防止することができる医療用容器を提供するものである。
【課題を解決するための手段】
【０００６】
上記目的を達成するものは、以下のものである。
（１）  剥離可能なシール部により形成された仕切部により第１の薬剤室と第２の薬剤室に区分され、かつ、前記第１の薬剤室に充填された第１の薬剤と、前記第２の薬剤室に収納された第２の薬剤と、いずれかの前記薬剤室と連通し、薬剤排出用部材の接続が可能な排出口を有する排出ポートとを備える軟質医療用容器本体と、前記医療用容器本体に着脱可能に取り付けられた排出ポート被包部材とからなる医療用容器であって、
前記排出ポートは、一端側が閉塞し他端側が開口するとともに内部に薬剤収納部を有する筒状部と、該筒状部に設けられ、破断により前記薬剤収納部の前記薬剤室との連通を可能とする破断可能部と、前記筒状部の他端側を閉塞し、かつ、前記薬剤排出用部材の接続が可能な封止部を有する前記排出口と、前記筒状部内に設けられ前記破断可能部の未破断時における前記排出ポートへの前記薬剤排出用部材の薬剤流出可能状態となる接続を阻害する薬剤排出用部材接続阻害部と前記薬剤収納部内に収納された第３の薬剤とを備えるものであり、
前記排出ポート被包部材は、前記排出ポートの前記破断可能部の破断を規制するとともに、前記医療用容器本体の前記仕切部を解除するために前記医療用容器本体を押圧することにより前記破断可能部の破断の規制が解除されるものである医療用容器。
【０００７】
（２）  前記排出ポートは、前記破断可能部の破断操作を行うための操作部を備え、前記排出ポート被包部材は、前記操作部の破断操作を規制するものである上記（１）に記載の医療用容器。
（３）  前記排出ポート被包部材は、前記医療用容器本体への装着部を備えている上記（１）または（２）に記載の医療用容器。
（４）  前記排出ポート被包部材は、前記医療用容器が押圧された際の医療用容器本体の拡張力を受けるための向かい合う拡張力受部を備えている上記（１）ないし（３）のいずれかに記載の医療用容器。
（５）  前記排出ポート被包部材は、前記医療用容器本体への装着時において、前記排出ポートの前記封止部を露出させるものである上記（１）ないし（４）のいずれかに記載の医療用容器。
（６）  前記医療用容器本体は、前記薬剤室と前記排出ポートとの連通を阻害する剥離可能な連通阻害用弱シール部を備えている上記（１）ないし（５）のいずれかに記載の医療用容器。
【発明の効果】
【０００８】
本発明の医療用容器によれば、剥離可能な仕切部により区分された２つの薬剤室に収納されている２種類の薬剤が混合されることなく投与されることを防止し、かつ、排出ポート内に収納された少量の薬剤の単独投与および未混合状態での投与を防止し、さらに、運搬時等の非投与作業時における排出ポート内と薬剤室の連通（排出ポート内の薬剤の薬剤室への流出）を防止することができる。
さらに、排出ポート被包部材によって第３の薬剤が収納された排出ポートの破断可能部が保護されているとともに、排出ポート被包部材は、医療用容器本体の仕切部を解除するために医療用容器本体を押圧することにより破断可能部の保護が解除されるものとなっている。このため、第１室の薬剤と第２室の薬剤が混合される前、すなわち仕切部が解除される前に、第１室と排出ポートとが連通し投与可能状態となること（言い換えれば、第１室の薬剤と排出ポート内の薬剤のみが混合され投与可能状態となること）がない。また、保護部材によって、第１室と第２室の薬剤を混合するまでは、破断可能部が保護された状態が維持されるので、仕切部の剥離（第１室の薬剤と第２室の薬剤の混合）、破断可能部の破断（第１室の薬剤と第２室の薬剤の混合物への排出ポート内の第３の薬剤の混合）という、薬剤の混合順序が常に維持される。
【発明を実施するための最良の形態】
【０００９】
以下、本発明の医療用容器について添付図面を参照して詳細に説明する。
図１は、本発明の医療用容器の一実施例の正面図である。図２は、図１の医療用容器のＡ−Ａ線断面図である。図３は、図１に示す医療用容器に使用される排出ポート被包部材の一例の正面図である。図４は、図３の排出ポート被包部材の左側面図である。図５は、図３の排出ポート被包部材の平面図である。図６は、図３の排出ポート被包部材の底面図である。図７は、図３の排出ポート被包部材を展開した状態の正面図である。図８は、図３の排出ポート被包部材を展開した状態の背面図である。図９は、図１に示す医療用容器に使用される排出ポートの一実施例の正面図である。図１０は、図９の排出ポートの断面図である。図１１は、図９の排出ポートのＢ−Ｂ線断面図である。図１２および図１３は、図１に示す医療用容器の使用方法を説明するための説明図である。
【００１０】
本発明の医療用容器１は、剥離可能なシール部により形成された仕切部９により第１の薬剤室５と第２の薬剤室６に区分され、かつ、第１の薬剤室５に充填された第１の薬剤７と、第２の薬剤室６に収納された第２の薬剤８と、いずれかの薬剤室と連通し、薬剤排出用部材の接続が可能な排出口３５を有する排出ポート３とを備える軟質医療用容器本体２と、医療用容器本体２に着脱可能に取り付けられた排出
ポート被包部材４を備える。
軟質医療用容器本体２は、軟質バッグ２ａとこれに取り付けられた排出ポート３とを有する。
排出ポート３は、図９ないし図１１に示すように、一端側が閉塞し他端側が開口するとともに内部に薬剤収納部３２を有する筒状部３１と、第３の薬剤３３が収納された薬剤収納部３２を有する一端が閉塞した筒状部３１と、筒状部３１に設けられ、破断により薬剤収納部３２の薬剤室との連通を可能とする破断可能部３４と、筒状部３１の他端側を閉塞し、かつ、薬剤排出用部材の接続が可能な封止部３６を有する排出口３５と、筒状部３１内に設けられ破断可能部３４の未破断時における排出ポート３への薬剤排出用部材の薬剤流出可能状態となる接続を阻害する薬剤排出用部材接続阻害部３７と、薬剤収納部３２内に収納された第３の薬剤３３とを備える。そして、排出ポート被包部材４は、排出ポート３の破断可能部３４の破断を規制するとともに、医療用容器本体２の仕切部９を解除するために医療用容器本体２を押圧することにより破断可能部３４の破断の規制が解除されるものである。
【００１１】
医療用容器本体２の軟質バッグ２ａは、軟質合成樹脂により形成されている。軟質バッグ２ａは、インフレーション成形法により筒状に成形されたものが好ましい。なお、軟質バッグ２ａは、例えば、ブロー成形法、共押出インフレーション法等の種々の方法により製造されたものでもよい。
このような軟質バッグ２ａの形成材料としては、例えば、ポリ塩化ビニル、ポリアミド、ポリエステル、ポリエチレン（ＰＥ）、ポリプロピレン（ＰＰ）、ポリブタジエン、エチレン−酢酸ビニル共重合体（ＥＶＡ）のようなポリオレフィン、オレフィン系エラストマー、スチレン系エラストマー等の各種熱可塑性エラストマーあるいはこれらを任意に組み合わせたもの（ブレンド樹脂、ポリマーアロイ、積層体等）が挙げられる。そして、使用する樹脂材料は、高圧蒸気滅菌（オートクレーブ滅菌）に耐えられる耐熱性、耐水性を有していることが好ましい。
また、軟質バッグ２ａの形成材料として、ポリオレフィンが含有されるとき、本発明の有用性が大きいものとなる。したがって、本発明においては、軟質バッグ２ａの形成材料として、ポリオレフィンを含むものであるのが好ましい。軟質バッグ２ａの形成材料として、特に好ましいものとして、ポリエチレンまたはポリプロピレンに、スチレン−ブタジエン共重合体やスチレン−エチレン−ブチレン−スチレンブロック共重合体等のスチレン系熱可塑性エラストマーあるいはエチレン−プロピレン共重合体やエチレン−ブテン共重合体、プロピレン−αオレフィン共重合体等のオレフィン系熱可塑性エラストマーをブレンドし柔軟化した軟質樹脂を挙げることができる。この材料は、高強度で柔軟性に富み、耐熱性（特に滅菌時の耐熱性）、耐水性が高い他、加工性が特に優れ、製造コストの低減を図ることができる点で好ましい。
【００１２】
また、軟質バッグ２ａは、前述したような材料よりなる単層構造のもの（単層体）であってもよいし、また種々の目的で、複数の層（特に異種材料の層）を重ねた多層積層体であってもよい。多層積層体の場合、複数の樹脂層を重ねたものであってもよいし、少なくとも１層の樹脂層に金属層を積層したものであってもよい。複数の樹脂層を重ねたものの場合、それぞれの樹脂の利点を併有することができ、例えば、軟質バッグ２ａの耐衝撃性を向上させたり、耐ブロッキング性を付与したりすることができる。また、金属層を有するものの場合、軟質バッグ２ａのガスバリヤー性等を向上させることができる。例えば、アルミ箔等のフィルムが積層された場合、ガスバリヤー性の向上とともに、遮光性を付与したりすることができる。また、酸化チタン、酸化アルミニウム、酸化ケイ素等の酸化物からなる層を形成した場合、ガスバリヤー性の向上とともに、軟質バッグ２ａの透明性を維持することができ、内部の視認性を確保することができる。なお、軟質バッグ２ａが多層積層体である場合、その内表面部分を形成する材料が、前述した材料であるのが好ましい。
軟質バッグ２ａは、上記樹脂を用いてブロー成形することにより作製したもの、上記樹脂により形成された２枚のシートの周縁部を融着して形成したもの、上記樹脂により形成された１枚のシートを折り返すとともに周縁部を融着して形成したもの、上記樹脂を用いて押し出し成形により筒状に形成したものの開口周縁を融着することにより作製したもの等のいずれでもよい。本発明でいう軟質バッグ２ａを構成する一方のシートもしくは他方のシートとは、軟質バッグ２ａを構成する表側シートもしくは裏側シートのいずれかである。
【００１３】
医療用容器本体２の上端部及び下端部には、図１に示すように、上端側シール部２１、下端側シール部２２が設けられている。上端側シール部２１、下端側シール部２２は、幅広強シール部となっている。また、上端側シール部２１には、混注ポート１１を取り付けるための混注ポート取付部２３が設けられ、下端側シール部２２には、排出ポート３を取り付けるための排出ポート取付部２４が形成されている。混注ポート取付部２３、排出ポート取付部２４は、上端側シール部２１、下端側シール部２２の一部をシールしないことにより形成されている。
実施例の仕切部９は、第１の薬剤室５または第２の薬剤室６を強く押圧したとき（絞った時）に剥離して第１の薬剤室５と第２の薬剤室６とを連通可能なものである。
【００１４】
仕切部９のシール強度としては、輸送中に医療用容器本体２に対して加えられる圧力では剥離せず、医療用容器本体２を手指等で強く押したときに剥離する程度であることが好ましい。仕切部９は、医療用容器本体２を融着することにより形成されることが好ましい。融着としては、熱融着、高周波融着などであることが好ましい。医療用容器本体２は、このように仕切部９に区分けされた２つの薬剤室５，６を有しているため、異なる成分の薬剤を無菌的に医療用容器本体２内にて混合することができる。また、図１に示す実施例において仕切部９は、医療用容器本体２に対して水平に直線状に設けられているがこれに限定されるものではない。また、仕切部９の両端部には、実質的に剥離することができない強シール部９ａが形成されていることが好ましい。
仕切部９のシール強度（初期の剥離強度）は、０．１〜２５Ｎ／１０ｍｍ、特に、０．３〜２０Ｎ／１０ｍｍであることが好ましい。シール強度がこの範囲内であれば、輸送や保管中等に誤って仕切部９の弱シール部が剥離することがなく、また、仕切部９を剥離する作業も容易である。
【００１５】
医療用容器本体２の第１の薬剤室５、第２の薬剤室６には、それぞれ第１の薬剤７、第２の薬剤８が収納されている。薬剤室５，６には異なった成分のものが収容されていることが好ましい。このような輸液剤としては、例えば、腹膜透析液、経中心静脈輸液剤、経末梢静脈輸液剤、経末梢静脈用注射剤、液状栄養剤等のように２つ以上の液剤を輸液の際に混合する必要のあるものが好ましい。また、輸液剤としては、例えば生理食塩水、電解質溶液、リンゲル液、高カロリー輸液、ブドウ糖液、注射用水、アミノ酸電解質溶液等が挙げられるが、これに限定されるものではない。例えば、薬剤室の一方にブドウ糖電解質液、他方にアミノ酸液を収納し、更に両室にビタミンＢ１、ビタミンＢ２、ビタミンＢ６、ビタミンＣ、パンテノール、ニコチン酸アミド等の水溶性ビタミンを安定性などを考慮して適宜振り分け収納することができる。この場合、後述する薬剤室に取り付ける薬剤容器（排出ポート）にビタミンＡ、ビタミンＤ、ビタミンＥ、ビタミンＫ等の脂溶性ビタミンを主とした液剤を収納することにより、総合ビタミン配合高カロリー総合輸液剤とすることができる。
【００１６】
軟質バッグ２ａを構成するシート材の厚さは、その層構成や用いる素材の特性（柔軟性、強度、水蒸気透過性、耐熱性等）に応じて適宜決定され、特に限定されるものではないが、通常は、１００〜５００μｍ程度であるのが好ましく、２００〜３６０μｍ程度であるのがより好ましい。
また、医療用容器本体２の上端側シール部２１には、ハンガー等に吊り下げるための孔２５（吊り下げ部）が設けられている。
仕切部９により区分けされる第１の薬剤室５と第２の薬剤室６との容積比は、８：１〜１：２０であることが好ましく、特に、容積比は４：１〜１：５であることが好ましい。
【００１７】
また、医療用容器１の第１の薬剤室５の容積は小さい方がよい。このような構成であれば、第２の薬剤室６を押圧したとき、ワンアクションで仕切部９と排出ポート被包部材４が開封しやすくなる。また、充填される流体量［薬剤およびヘッドスペース（気体）を含む］は、医療用容器全容量（仕切部９を剥離して１室とした状態の容量）の２０〜５０容量％であると本発明の効果が一層顕著になる。輸液用バッグなどの医療用容器では、他の薬剤を混注することが行われる。このため、医療用容器には、充填される流体量と同量〜数倍量の予備容量を見込んで製袋されている。仕切部９を有する医療用容器における流体量は、２０〜５０容量％であるが、このような少ない液体充填量であっても、本発明によれば仕切部９と排出ポート被包部材４を開封させることができる。
具体的に、第１の薬剤室５の容積は、２０〜３０００ｍｌ程度であることが好ましく、特に、５０〜２０００ｍｌであることが好ましい。また、第２の薬剤室６の容積は、２０〜３０００ｍｌ程度であることが好ましく、特に、５０〜２０００ｍｌであることが好ましい。
【００１８】
この実施例では、排出ポート３内には、図１０に示すように、適量の第３の薬剤３３が収容されている。また、排出ポート３の薬剤収納部３２の形成部は、内部の薬剤が目視可能に透明に形成されていることが好ましい。収納される薬剤としては、粉末、顆粒状などの固体状、液体状等いかなるものでもよい。薬剤としては、輸液剤に配合・溶解させるものであって、例えば抗生物質、ビタミン剤（総合ビタミン剤あるいは脂溶性ビタミンなどその一部）、各種アミノ酸、抗血栓剤、インシュリン、抗腫瘍剤、鎮痛剤、強心剤、静注麻酔剤、抗パーキンソン剤、潰瘍治療剤、副腎皮質ホルモン剤、不整脈用剤、補正電解質、抗ウィルス薬、免疫賦活剤等が挙げられる。また、排出ポート３の筒状部３１内（薬剤収納部３２）は、常圧でもよいが、減圧または真空状態としてもよい。このように、薬剤収納部３２が減圧または真空状態であると、薬剤３３の変質分解・劣化等の防止効果が向上するとともに、破断可能部３４の破断時に、輸液剤を吸引し、より迅速に筒状部３１へ導入することができる。
【００１９】
排出ポート３は、図１０に示すように、一端側が閉塞し他端側が開口するとともに内部に薬剤収納部３２を有する筒状部３１と、筒状部３１に設けられ、破断による薬剤収納部３２の第１の薬剤室５との連通を可能とする破断可能部３４と、筒状部３１の他端側を閉塞し、かつ、瓶針、チューブ、穿刺針からなる所謂輸液セット等の薬剤排出用部材（図示せず）の接続が可能な封止部３６を有する排出口３５と、筒状部３１内に設けられ破断可能部３４の未破断時における排出ポート３への薬剤排出用部材の薬剤流出可能状態となる接続を阻害する薬剤排出用部材接続阻害部３７と、薬剤収納部３２に収納された第３の薬剤３３とを備える。
また、本実施例の医療用容器１の排出ポート３は、破断可能部３４に接続し、破断可能部３４の破断操作を行うための操作部３８を備えている。
【００２０】
破断可能部３４は、クサビ状の環状凹部が形成された部分であり、他の部分に比べて肉薄となっている。このため、破断可能部３４は、他の部分に比べて脆弱であり、操作部３８を容器本体２の外方より押すことにより、この破断可能部３４部分にて破断し、操作部３８は、筒状部３１より分離する。そして、分離する操作部３８が、中空であることが好ましい。このようにすることにより、操作部３８は勢いよく浮上し、すみやかに筒状部内の薬剤が第１の薬剤、第２の薬剤の混合液と混合される。また、成形条件としては好ましいものとなるので、偏肉のない状態のものとなる。筒状部３１の内側上面と破断可能部３４との距離は、破断可能部における破断前では封止部に薬剤排出用部材を接続不能とするため、最小とすることが好ましく、具体的には、１〜２ｍｍであることが好ましい。
さらに、この操作部３８を薬剤混合後の薬液に対して識別可能な色に形成してもよい。薬液と容易に識別できるとともに、薬液面に浮上するため薬液残量の確認も容易となる。
排出口３５は、筒状部３１の他端側を閉塞し、かつ、薬剤排出用部材の接続が可能な封止部３６を有している。
【００２１】
この実施例の医療用容器１では、排出ポート３内に、薬剤排出用部材接続阻害部３７が収納されている。この実施例における薬剤排出用部材接続阻害部３７は、図９および１０に示すように、操作部３８（操作部の底部下面）と当接可能な先端部３７ａと、薬剤排出用部材（例えば、瓶針等の薬剤排出用針管）の先端が当接可能な基端部３７ｂと、先端部３７ａと基端部３７ｂを連結する接続部３７ｃを有するものである。
そして、破断可能部３４が未破断の状態において、封止部３６に薬剤排出用部材を穿刺した場合、この針の先端は薬剤排出用部材接続阻害部３７の基端部３７ｂに当接し、さらに押しても、薬剤排出用部材接続阻害部３７が上方（図面の上方）に移動し、先端部３７ａが操作部３８に当接した後は、それ以上移動不能となる。また、この例の薬剤排出用部材接続阻害部３７は、基端部３７ｂが封止部３６に接触した状態において、先端部３７ａと操作部３８（操作部の底部下面）との間の距離がほとんどなく、すなわち、排出ポート３内における操作部３８と封止部３６の間隔と、薬剤排出用部材接続阻害部３７の長さとが略等しいため、実質的に移動できないものとなっている。なお、破断可能部が未破断の状態において、封止部に穿刺された針から第３の薬剤３３が実質的に排出されないよう構成される限りにおいて、若干、筒状部内を移動可能なものであってもよい。
そして、作業者は、薬剤排出用部材が穿刺不能状態であることより、流通規制部が未破断であることを認識する。
【００２２】
そして、破断可能部３４が未破断の状態（図９の状態）における薬剤排出用部材の排出ポートへの穿刺可能長さは、薬剤排出用部材の開口が排出ポート３内部と連通しない長さであることが好ましい。よって、薬剤排出用部材接続阻害部３７の排出ポート３内における移動可能距離は、５ｍｍ以下であることが好ましい。
この例の薬剤排出用部材接続阻害部３７では、先端部３７ａは、板状、円盤状であり、先端は半球状となっている。このようにすることにより、破断可能部３４の破断後の内側エッジ部に引っかかりにくい形状となっている。さらに、薬剤排出用部材接続阻害部３７は、接続部３７ｃの側面に設けられ、接続部３７ｃの適宜位置より基端側に延び、かつ下端が基端部３７ｂの周縁と連続する翼部３７ｄを備えている。このような翼部を設けることにより、基端部３７ｂが破断可能部３４の破断後の内側エッジ部に引っかかることを防止する。この例では、翼部３７ｄは、先端部３７ａより延びている。
基端部３７ｂの形状は、板状、円盤状であり、封止部全面を覆っている。基端部３７ｂは、針が穿刺できなければメッシュ状などであっても良い。
なお、薬剤排出用部材接続阻害部３７は、上記のタイプのものに限定されるものではなく、基端部が閉塞した筒状タイプのもの等であってもよい。
【００２３】
そして、上述した例の薬剤排出用部材接続阻害部３７は、破断可能部３４の破断後、排出ポート３より流出可能なものとなっている。しかし、このようなものに限定されるものではなく、基端部３７ｂが筒状部３１の上部（破断可能部３４であった部分）に当接し、係止され、筒状部３１より流出しないものであってもよい。
なお、このようなタイプの場合には、薬液の流通を確実に確保するために、薬剤排出用部材接続阻害部３７は、基端部３７ｂに開口部を有することが好ましい。開口部としては、スリット、貫通孔等が挙げられる。このようなタイプの薬剤排出用部材接続阻害部３７においても、先端部３７ａは、半球状となっていることが好ましい。また、翼部は設けてもいいが、設けない方が好ましい。
【００２４】
筒状部３１、薬剤排出用部材接続阻害部３７の形成材料としては、硬質または半硬質樹脂が好適である。筒状部３１の形成材料としては、超音波融着、ヒートシール等により軟質バッグ２ａに融着可能なものが好ましい。また、排出口３５のキャップ部の形成材料としては、硬質または半硬質樹脂が好適である。さらに、キャップ部の形成材料としては、超音波融着、高周波融着等により筒状部３１に融着可能なものが好ましい。
筒状部３１、薬剤排出用部材接続阻害部３７の形成材料としては、ポリオレフィン、例えば、ポリエチレン、ポリプロピレン、エチレン−プロピレンコポリマーなど、ポリエステル、例えば、ポリエチレンテレフタレート、ポリブチレンテレフタレート等、スチレン系樹脂、例えば、ポリスチレン、ＭＳ樹脂（メタクリレート−スチレン共重合体）、ＭＢＳ樹脂（メタクリレート−ブチレン−スチレン共重合体）等、ポリ塩化ビニル、ポリアミド、例えば、６ナイロン，６６ナイロン等が使用される。
【００２５】
封止部（弾性部材）３６の形成材料としては、針を穿刺した際に液漏れを生じさせないものから選ばれ、合成ゴム（例えば、ウレタンゴム、シリコーンゴム、ブタジエンゴム、イソプレンゴム等）、天然ゴム（例えば、ラテックスゴム）、スチレン系エラストマー、（例えば、スチレン−ブタジエン−スチレンコポリマー、スチレン−イソプレン−スチレンコポリマー、スチレン−エチレンブチレン−スチレンコポリマー等）、ウレタン系エラストマー（例えば、熱可塑性ポリエーテルポリウレタン、熱可塑性ポリエステルポリウレタン等）が使用できる。
また、この実施例の医療用容器１は、第２の薬剤室６と連通する混注ポート１１を備えているが、混注ポートを備えないものであってもよい。混注ポート１１としては、公知のものが使用できる。
【００２６】
次に、本発明の医療用容器に用いられる排出ポート被包部材について説明する。
この例の排出ポート被包部材４は、仕切部９を解除するために医療用容器本体２を押圧することにより、破断可能部の破断の規制（操作部の被包）を解除し、破断操作を可能とするものである。好ましくは、医療用容器本体２より離脱もしくは離脱可能となるものである。  
そして、この例の排出ポート被包部材４は、図３ないし図８に示すように、排出ポート３の破断可能部３４の破断を規制する破断規制部４２ａ，４２ｂと、医療用容器本体２への装着機能とを備えている。さらに、この例の排出ポート被包部材４は、医療用容器１が押圧された際の医療用容器本体２の拡張力を受けるための向かい合う拡張力受部４６ａ，４６ｂを備えている。
具体的には、排出ポート被包部材４は、医療用容器本体２の装着時に向かい合う第１本体部４ａ、第２本体部４ｂと、第１本体部４ａと第２本体部４ｂとを折り曲げ可能に接続するヒンジ部４３ａ，４３ｂとを備えている。
【００２７】
そして、第１本体部４ａは、２つの第１本体部側係合部４５ａ，４５ｂと、排出ポートの破断可能部および操作部を被包する破断規制部４２ａと、拡張力受部４６ａを備えている。なお、係合用受部は、一つのみでもよい。また、破断規制部４２ａは、この実施例のように、排出ポートの破断可能部および操作部の両者を被包することが好ましいが、破断可能部での破断が規制できればよく、例えば、操作部のみ被包するもの、また、破断可能部のみ被包するものであってもよい。そして、この例では、第１本体部側係合部４５ａ，４５ｂは、係合用受部（具体的には、係合用窓部）となっている。また、拡張力受部４６ａは、破断規制部４２ａの周縁部に形成されている。具体的には、拡張力受部４６ａは、破断規制部４２ａの先端側部分の周縁部に形成されている。
【００２８】
また、第２本体部４ｂは、２つの第１本体部側係合部４５ａ，４５ｂと向かい合うように設けられた２つの第２本体部側係合部４４ａ，４４ｂと、排出ポートの破断可能部および操作部を被包するとともに、第１本体部４ａの破断規制部４２ａと向かい合うように設けられた破断規制部４２ｂと、第１本体部４ａの拡張力受部４６ａと向かい合うように設けられた拡張力受部４６ｂを備えている。なお、係合用受部は、４５ａまたは４５ｂと対応する一つのみでもよい。また、破断規制部４２ｂは、この実施例のように、排出ポートの破断可能部および操作部の両者を被包することが好ましいが、破断可能部での破断が規制できればよく、例えば、操作部のみ被包するもの、また、破断可能部のみ被包するものであってもよい。そして、この例では、第２本体部側係合部４４ａ，４４ｂは、係合用突起部となっている。また、拡張力受部４６ｂは、破断規制部４２ｂの周縁部に形成されている。具体的には、拡張力受部４６ｂは、破断規制部４２ｂの先端側部分の周縁部に形成されている。そして、係合用突起部となっている第２本体部側係合部４４ａ，４４ｂは、係合用受部（具体的には、係合用窓部）となっている第１本体部側係合部４５ａ，４５ｂ内に、侵入し係合することにより、排出ポート被包部材４の医療用容器本体２への装着状態を維持する。よって、この例の排出ポート被包部材４では、第１本体部側係合部４５ａ，４５ｂと第２本体部側係合部４４ａ，４４ｂとにより、医療用容器本体２への装着機能とが構成されている。なお、排出ポート被包部材４の装着機構としては、上記のように第１本体部４ａと第２本体部４ｂとが、係合部により係合するものであることが好ましいが、このようなタイプに限定されるものではなく、排出ポート３に直接装着されるタイプのものであってもよい。また、係合部の構成も上記のものに限定されるものではない。
【００２９】
さらに、排出ポート被包部材４は、図３ないし図８に示すように、係合部が設けられた部分である係合部形成部４１ａおよび４１ｂは、排出ポート３の薬剤収納部３２を被包するものであることが好ましい。このようにすることにより、薬剤収納部３２内に収納されている第３の薬剤３３に対する遮光性を高めることができる。
この実施例の排出ポート被包部材４は、図３ないし図８に示すように、基端側にヒンジ部４３ａ，４３ｂを備え、このヒンジ部４３ａ，４３ｂより若干先端側に係合部４４ａ，４４ｂ、４５ａ，４５ｂが設けられた部分である係合部形成部４１ａおよび４１ｂを備え、この係合部形成部４１ａ、４１ｂより若干先端側に破断規制部４２ａ、４２ｂを備えている。破断規制部は、排出ポートの破断可能部および／または操作部を被包することにより、破断操作および／または破断可能部の破断を規制し、排出ポート３の破断を保護している。この実施例では、破断規制部は、排出ポートの破断可能部および操作部を被包することにより、破断操作および破断可能部の破断を規制しているが、このようなものに限定されるものではなく、破断規制部は、排出ポートの破断可能部または操作部のいずれかを被包することにより、破断操作または破断可能部の破断を規制するものであってもよい。
そして、この実施例の排出ポート被包部材４は、医療用容器本体２への装着時において、排出ポート３の封止部を露出させるものとなっている。
【００３０】
そして、排出ポート被包部材４は、医療用容器本体２の仕切部９を解除するために医療用容器本体２が押圧され、第２の薬剤８が第１の薬剤室５に流入することにより、その圧力によって破断可能部３４の破断の規制が解除されるものとなっている。すなわち、仕切部９を解除するために医療用容器本体２を押圧した後でなければ、破断可能部３４の破断のための操作が不能となっている。
また、排出ポート被包部材４は、上述したように、医療用容器本体２が押圧された際の医療用容器本体２の変形時の拡張力を受けるための向かい合う拡張力受部４６ａおよび４６ｂを備えていることが好ましい。拡張力受部４６ａおよび４６ｂの幅、面積は適宜設定可能である。
【００３１】
拡張力受部４６ａおよび４６ｂとしては、図３ないし８に示すものの他、図１４ないし１６に示す排出ポート被包部材５４、６４および７４のように、拡張力受部の長さもしくは幅を調整することにより医療用容器１の押圧時に拡張力受部４６ａおよび４６ｂが受ける圧力を調整してもよい。
図１４は、本発明の医療用容器に使用される排出ポート被包部材の他の実施例の正面図である。図１５は、本発明の医療用容器に使用される排出ポート被包部材の他の実施例の正面図である。図１６は、本発明の医療用容器に使用される排出ポート被包部材の他の実施例の正面図である。
なお、拡張力受部４６ａおよび４６ｂは、医療用容器１を押圧した際に発生する圧力を受けることができればどのような形状でもよい。また、拡張力受部４６ａおよび４６ｂが多角形（例えば三角形、四角形など）である場合には、角が面取りされていることが好ましい。このような構成にすることにより、医療用容器本体２に傷をつけることを防止することができる。
【００３２】
本実施例の医療用容器１における排出ポート被包部材４は、仕切部９を解除するために医療用容器本体２を押圧することにより、医療用容器本体２より自動的に離脱する、もしくは離脱可能となるものである。具体的には、この実施例の排出ポート被包部材４では、医療用容器２を押圧することにより、医療用容器本体２が拡張し、その拡張力が向かい合う拡張力受部４６ａおよび４６ｂに伝達されることにより、排出ポート被包部材４は広がるとともに、第１本体部側係合部４５ａ，４５ｂと第２本体部側係合部４４ａ，４４ｂと係合が解除され、医療用容器本体２より離脱可能となる。なお、排出ポート被包部材としては、上述した医療用容器本体２の拡張時に、上記の装着状態（係合状態）が解除されるとともに、医療用容器本体の拡張形態に従って下方に移動し、医療用容器本体２より自動的に離脱するものであってもよい。なお、上述した拡張力受部４６ａおよび４６ｂの幅、面積は、容器本体の大きさ、充填される薬剤量などを考慮し適宜設定される。
【００３３】
また、排出ポート被包部材としては、図１７ないし図２２に示す排出ポート被包部材１４であってもよい。
図１７は、本発明の医療用容器に使用される排出ポート被包部材の他の実施例の正面図である。図１８は、図１７の排出ポート被包部材の左側面図である。図１９は、図１７の排出ポート被包部材の平面図である。図２０は、図１７の排出ポート被包部材の底面図である。図２１は、図１７の排出ポート被包部材を展開した状態の正面図である。図２２は、図１７の排出ポート被包部材を展開した状態の背面図である。
この実施例の排出ポート被包部材１４は、医療用容器本体２の装着時に向かい合う第１本体部４ａ、第２本体部４ｂと、第１本体部４ａと第２本体部４ｂとを折り曲げ可能に接続するリング状接続部４８とを備えている。リング状接続部４８は、第１本体部４ａとリング状接続部４８とを折り曲げ可能に接続する第１ヒンジ部４３ａ、４３ｂと、第２本体部４ｂとリング状接続部４８とを折り曲げ可能に接続する第２ヒンジ部４７ａ、４７ｂとを備えている。
この実施例の排出ポート被包部材１４と上述した実施例の排出ポート被包部材４との相違は、上記の第１本体部４ａと第２本体部４ｂとの接続形態のみであり、その他については、上述した排出ポート被包部材４と同じである。
【００３４】
次に、本発明の医療用容器１の製造方法について説明する。なお、この方法に限定されるものではない。
最初に、軟質合成樹脂により形成したチューブ体を準備する。そして、このチューブ体に部分的未シール部を一箇所（混注ポート取付部２３）有する上端側シール部２１、部分的未シール部を一箇所（排出ポート取付部２４）有する下端側シール部２２と、仕切部９とを形成して、軟質バッグ２ａを形成する。続いて、下端側シール部２２の部分的未シール部である排出ポート取付部２４に排出ポート３の筒状部３１を挿入し固着する。筒状部３１を介して第１の薬剤室５に第１の薬剤７を注入後、筒状部３１が上方となるように容器を固定した状態にて、筒状部３１に封止部３６を固着し封止する。
そして、上端側シール部２１の部分的未シール部に混注ポート１１の筒状部材を固着し、筒状部材を介して、第２の薬剤８を注入し、筒状部材が上方となるように容器を固定した状態にて、筒状部材に弾性部材を装着したキャップ部材を固着し封止する。これにより、軟質医療医用容器本体２が形成される。そして、この軟質医療医用容器本体２の排出ポート部分に排出ポート被包部材４を取り付けることにより、医療用容器１が製造される。
このようにして、図１に示すような、薬剤が充填された医療用容器が作製される。なお、第１の薬剤７の注入および第１の薬剤室５の封止作業は、第２の薬剤８の注入および第２の薬剤室６の封止作業前に行うものであってもよい。
【００３５】
次に、本発明の医療用容器１の使用方法について説明する。
まず、医療用容器１の第２の薬剤室６を手指等で強く押圧すると、まず、仕切部９が破断され、次いで、第２の薬剤室６からの薬液の流入により第１の薬剤室５が広がり、図１２に示すように、第１本体部４ａの２つの第１本体部側係合部４５ａ，４５ｂと、第２本体部４ｂの２つの第２本体部側係合部４４ａ，４４ｂとの係合が解除され、排出ポート被包部材４が開くとともに容器本体２より離脱可能となる。そして、容器本体２より、排出ポート被包部材４を取り外した後、排出ポート３の操作部３８を把持して破断可能部３４を破断すると、図１３に示すように、破断された操作部３８は、薬剤内を浮上する。また、薬剤排出用部材接続阻害部３７も排出ポート内より流出し、薬剤内を浮上する。これにより、薬剤排出用部材の接続が可能となり、排出ポート３の排出口３５に薬剤排出用部材を刺すことにより、薬剤投与準備が完了する。
【００３６】
次に本発明の他の実施例の医療用容器２０について説明する。
図２３は、本発明の医療用容器の他の実施例の正面図である。図２４は、本発明の医療用容器に使用される排出ポート被包部材の他の実施例を説明するための説明図である。図２５は、本発明の医療用容器に使用される排出ポート被包部材の他の実施例を説明するための説明図である。
この実施例の医療用容器２０は、剥離可能なシール部により形成された仕切部９により第１の薬剤室５と第２の薬剤室６に区分され、かつ、第１の薬剤室５に充填された第１の薬剤７と、第２の薬剤室６に充填された第２の薬剤８と、いずれかの薬剤室と連通し、薬剤排出用部材の接続が可能な排出口３５を有する排出ポート３とを備える軟質医療用容器本体２と、医療用容器本体２に着脱可能に取り付けられた排出ポート被包部材４とを備える。
【００３７】
排出ポート３は、一端側が閉塞し他端側が開口するとともに内部に薬剤収納部３２を有する筒状部３１と、筒状部３１に設けられ、破断により薬剤収納部３２の薬剤室との連通を可能とする破断可能部３４と、筒状部３１の他端側を閉塞し、かつ、薬剤排出用部材の接続が可能な封止部３６を有する排出口３５と、筒状部３１内に設けられ破断可能部３４の未破断時における排出ポート３への薬剤排出用部材の薬剤流出可能状態となる接続を阻害する薬剤排出用部材接続阻害部３７と、薬剤収納部３２に収納された第３の薬剤３３を備える。また、排出ポート被包部材４は、排出ポート３の破断可能部３４の破断を規制するとともに、医療用容器本体２の仕切部９を解除するために医療用容器本体２を押圧することにより破断可能部３４の破断の規制が解除されるものである。
【００３８】
医療用容器本体２は、薬剤室と排出ポート３との連通を阻害する剥離可能な連通阻害用弱シール部１２を備えている。
この実施例の医療用容器２０と上述した医療用容器１との実質的な相違は、連通阻害用弱シール部１２の存在のみである。
医療用容器２０の医療用容器本体２は、図２３に示すように、連通阻害用弱シール部１２を備えている。
連通阻害用弱シール部１２は、排出ポート３の上方を取り囲むように形成されている。この連通阻害用弱シール部１２により、第１の薬剤室５から隔離された第３室２６が形成されている。
連通阻害用弱シール部１２は、シート材を帯状に熱シール（熱融着、高周波融着、超音波融着など）することにより形成することができる。連通阻害用弱シール部１２は、図２３に示す実施例では、短辺が上側となる台形状に形成されている。また、連通阻害用弱シール部は、反転したＵ字形状、排出ポートが頂点となる三角形状、排出ポートが底辺となる三角形状、四角形状などの多角形状、略半円形状、略半楕円形状等であってもよい。また、連通阻害用弱シール部１２は、第１の薬剤室５と第２の薬剤室６のいずれかを押圧することにより剥離する。
【００３９】
連通阻害用弱シール部１２のシール強度（初期の剥離強度）は、仕切部９のシール強度より大きいものであることが好ましい。具体的には、仕切部９のシール強度は、０．１〜２５Ｎ／１０ｍｍ、特に、０．３〜２０Ｎ／１０ｍｍであることが好ましい。また、連通阻害用弱シール部１２のシール強度（初期の剥離強度）は、１〜２５Ｎ／１０ｍｍ、特に、２〜２０Ｎ／１０ｍｍであることが好ましい。
また、連通阻害用弱シール部１２は、図２３に示すように、仕切部９の下方に設けられていることが好ましい。仕切部９の下方に設けられていることにより、連通阻害用弱シール部１２は、仕切部剥離操作時においてより確実に剥離しやすくなる。
連通阻害用弱シール部１２により形成された第３室２６は、空室となっている。しかし、第３室２６には、所定の液体（例えば、生理食塩水）が充填されていてもよい。また、第３室２６は、乾燥状態でもよいが、滅菌のための微量の液体が入れられていてもよい。さらに、連通阻害用弱シール部１２に若干の水蒸気や薬剤が通る通路を形成し、第１の薬剤室５と上記のようなレベルで連通するものであってもよい。
【００４０】
この実施例の医療用容器２０では、排出ポート被包部材４の拡張力受部４６は、連通阻害用弱シール部１２にかからないように形成されている。このため、薬剤室の押圧による連通阻害用弱シール部１２の剥離後に初めて、拡張力受部４６に圧力がかかり、破断可能部３４の破断の規制が解除されるものとなっている。この実施例の医療用容器２０では、排出ポート被包部材４の破断規制部状態を解除するために必要な圧力は、連通阻害用弱シール部１２を剥離させるために必要な圧力より小さいことが好ましい。
また、排出ポート被包部材としては、拡張力受部が、連通阻害用弱シール部１２上に存在しているものであってもよい。例えば、図１４に示したようなタイプの排出ポート被包部材５４を用いた医療用容器２０ａ（図２４）のように、排出ポート被包部材５４の拡張力受部４６が、連通阻害用弱シール部１２の先端側部分を被包するように形成されているもの、図１５に示した排出ポート被包部材６４を用いた医療用容器（図示せず）のようなタイプのもの、図１６に示したようなタイプの排出ポート被包部材７４を用いた医療用容器２０ｂ（図２５）のように、排出ポート被包部材７４の拡張力受部４６が、連通阻害用弱シール部１２のほぼ全体を被包するように形成されているものであってもよい。これらのタイプの医療用容器では、排出ポート被包部材の拡張力受部の一部が、連通阻害用弱シール部１２上に存在している。このため、排出ポート被包部材の拡張力受部の一部が、連通阻害用弱シール部を保護するものとなっている。これらのタイプの医療用容器では、仕切部の剥離のために薬剤室を押圧すると、排出ポート被包部材による保護解除と同時もしくは若干遅れて連通阻害用弱シール部１２が剥離する。
【図面の簡単な説明】
【００４１】
【図１】図１は、本発明の医療用容器の一実施例の正面図である。
【図２】図２は、図１の医療用容器のＡ−Ａ線断面図である。
【図３】図３は、図１に示す医療用容器に使用される排出ポート被包部材の一例の正面図である。
【図４】図４は、図３の排出ポート被包部材の左側面図である。
【図５】図５は、図３の排出ポート被包部材の平面図である。
【図６】図６は、図３の排出ポート被包部材の底面図である。
【図７】図７は、図３の排出ポート被包部材を展開した状態の正面図である。
【図８】図８は、図３の排出ポート被包部材を展開した状態の背面図である。
【図９】図９は、図１に示す医療用容器に使用される排出ポートの一実施例の正面図である。
【図１０】図１０は、図９の排出ポートの断面図である。
【図１１】図１１は、図９の排出ポートのＢ−Ｂ線断面図である。
【図１２】図１２は、図１に示す医療用容器の使用方法を説明するための説明図である。
【図１３】図１３は、図１に示す医療用容器の使用方法を説明するための説明図である。
【図１４】図１４は、本発明の医療用容器に使用される排出ポート被包部材の他の実施例の正面図である。
【図１５】図１５は、本発明の医療用容器に使用される排出ポート被包部材の他の実施例の正面図である。
【図１６】図１６は、本発明の医療用容器に使用される排出ポート被包部材の他の実施例の正面図である。
【図１７】図１７は、本発明の医療用容器に使用される排出ポート被包部材の他の実施例の正面図である。
【図１８】図１８は、図１７の排出ポート被包部材の左側面図である。
【図１９】図１９は、図１７の排出ポート被包部材の平面図である。
【図２０】図２０は、図１７の排出ポート被包部材の底面図である。
【図２１】図２１は、図１７の排出ポート被包部材を展開した状態の正面図である。
【図２２】図２２は、図１７の排出ポート被包部材を展開した状態の背面図である。
【図２３】図２３は、本発明の医療用容器の他の実施例の正面図である。
【図２４】図２４は、本発明の医療用容器に使用される排出ポート被包部材の他の実施例を説明するための説明図である。
【図２５】図２５は、本発明の医療用容器に使用される排出ポート被包部材の他の実施例を説明するための説明図である。
【符号の説明】
【００４２】
１  医療用容器
２  医療用容器本体
３  排出ポート
４  排出ポート被包部材
５  第１の薬剤室
６  第２の薬剤室
７  第１の薬剤
８  第２の薬剤
９  仕切部
【図１】
2008173316.tif 000003
【図２】
2008173316.tif 000004
【図３】
2008173316.tif 000005
【図４】
2008173316.tif 000006
【図５】
2008173316.tif 000007
【図６】
2008173316.tif 000008
【図７】
2008173316.tif 000009
【図８】
2008173316.tif 000010
【図９】
2008173316.tif 000011
【図１０】
2008173316.tif 000012
【図１１】
2008173316.tif 000013
【図１２】
2008173316.tif 000014
【図１３】
2008173316.tif 000015
【図１４】
2008173316.tif 000016
【図１５】
2008173316.tif 000017
【図１６】
2008173316.tif 000018
【図１７】
2008173316.tif 000019
【図１８】
2008173316.tif 000020
【図１９】
2008173316.tif 000021
【図２０】
2008173316.tif 000022
【図２１】
2008173316.tif 000023
【図２２】
2008173316.tif 000024
【図２３】
2008173316.tif 000025
【図２４】
2008173316.tif 000026
【図２５】
2008173316.tif 000027